(57)【要約】  本発明は、摺動支持アセンブリに関し、詳しくは１つがもう１つの中を摺動する、２つ（又はそれより多い）細長い部材を有する摺動支持部に関する。本発明は、いくつかの方向からの力に曝される可能性のある物品、及び１つ又は両方の支持部を動かなくさせる可能性がある物品に使用される１対のそのような摺動支持部間の剪断の問題点に対処する。この問題点は、摺動支持アセンブリ上の細長い部材の配置によって対処される。本発明は、摺動支持アセンブリによって支持されている物品をアセンブリのベースに対して定位置にロックするためのロック機構も提供する。
2010501800.tif 000002
【特許請求の範囲】
【請求項１】
ベースと、
前記ベース上に摺動可能に搭載される予定の、物品を支持するための支持要素と、
前記支持要素に対する前記ベースの平行摺動移動を与えるように、前記ベースを前記支持要素に摺動可能に連結する１対の間隔のあいた摺動部であって、各摺動部が１つがもう１つと摺動可能に係合する１対の細長い部材を備え、各摺動部のうちの１つの細長い部材は前記ベースに対して固定され、各摺動部のうちの前記もう１つの細長い部材は前記支持要素に対して固定され、前記２つの細長い摺動部材は、前記ベースから前記支持要素に向かって延びる方向に分岐する異なる平面内にある前記ベースに対して固定される摺動部とを備える、摺動支持アセンブリ。
【請求項２】
前記支持要素に固定される各摺動部の前記細長い部材が、平面のベースと摺動溝を画成するように前記平面のベースから延びる側壁とを有し、前記ベースに対して固定される各摺動部の前記細長い部材が前記それぞれの摺動溝内で係合する、請求項１に記載の摺動支持アセンブリ。
【請求項３】
前記摺動部が前記ベース及び前記支持要素とは別個に形成され、各摺動部の前記細長い摺動部材のうちの１つが前記ベースに取り付けられ、各摺動部の前記もう１つの細長い摺動部材が前記支持要素に取り付けられる、請求項１又は２に記載の摺動支持アセンブリ。
【請求項４】
前記ベースがその各側上に少なくとも１つの摺動支持ウイングを有し、前記支持ウイングが前記ベースに対して固定される前記細長い摺動部材の平面に対応する異なる平面内にある、請求項１から３までのいずれか一項に記載の摺動支持アセンブリ。
【請求項５】
前記細長い摺動部材の平面が前記ベースの全体平面に対して等しい角度にある、請求項１から４までのいずれか一項に記載の摺動支持アセンブリ。
【請求項６】
前記ベースが横断面で実質的にＷ字プロファイルのものである、請求項１から５までのいずれか一項に記載の摺動支持アセンブリ。
【請求項７】
前記ベースが細長い中央平面部分を有する、請求項６に記載の摺動支持アセンブリ。
【請求項８】
前記ベース及び前記支持要素を所望の位置にロックするためのロック機構を備える、請求項１から７までのいずれか一項に記載の摺動支持アセンブリ。
【請求項９】
前記ロック機構が前記支持要素上に移動可能に搭載されるロック装置を含む、請求項８に記載の摺動支持アセンブリ。
【請求項１０】
前記ベース及び前記支持要素を所望の位置にロックするためのロック機構を備え、前記ロック機構が、前記ベースの前記細長い中央部分の縁部に沿った一連のノッチと前記支持要素上に移動可能に搭載されるロック装置とを備え、前記ロック装置が、前記ロック機構がロック位置にあるとき、前記ノッチと係合可能な突起部を有する、請求項７に記載の摺動支持アセンブリ。
【請求項１１】
横断面が実質的にＷ字プロファイルであり、細長い中央平面部分を有するベースと、
前記ベース上に摺動可能に搭載される支持要素と、
前記ベース及び前記支持要素を所望の位置にロックするためのロック機構であって、前記ロック機構が、前記ベースの細長い中央部分の縁部に沿った一連のノッチと前記支持要素上に移動可能に搭載されるロック装置とを備え、前記ロック装置が、前記ロック機構がロック位置にあるとき、前記ノッチと係合可能な突起部を有するロック機構とを備える、摺動支持アセンブリ。
【請求項１２】
前記ロック装置が、ウエブ、前記ウエブの第１の端部から第１の角度で延びる第１の足、前記ウエブの第２の端部から第１の角度で延びる第２のウエブ、前記第１の足から第２の角度で延びる第１のフランジ、及び前記第２の足から第２の角度で延びる第２のフランジとを有する帽子溝プロファイルのフラップを含み、前記突起部が前記第１と第２のフランジが前記第１と第２の足から延びるところに形成される一連のスロットによって形成される、請求項１０又は請求項１１に記載の摺動支持アセンブリ。
【請求項１３】
前記フラップが前記支持要素上に搭載され、且つ前記フラップが、複数の前記突起部が前記ベース内の複数の前記ノッチ内に係合している状態で前記フラップが前記ベースに抗しているロック位置と、前記突起部が前記ノッチから脱係されている開放位置との間を移動可能である、請求項１２に記載の摺動支持アセンブリ。
【請求項１４】
前記ロック装置が前記支持要素上に枢動可能に搭載される、請求項９から１３までのいずれか一項に記載の摺動支持アセンブリ。
【請求項１５】
前記ロック装置が、前記ロック装置をロック位置から開放位置まで移動可能にするための曲がった断面を有する、請求項９から１３までのいずれか一項に記載の摺動支持アセンブリ。
【請求項１６】
前記ロック装置を前記支持要素に対して移動させるための機構をさらに備える、請求項９から１５までのいずれか一項に記載の摺動支持アセンブリ。
【請求項１７】
前記ロック装置を移動させるための前記機構が、前記支持要素に連結される第１の端部と前記ロック装置に連結される第２の端部とを有するレバーと、前記レバーに連結されるアクチュエータとを備える、請求項１６に記載の摺動支持アセンブリ。
【請求項１８】
前記アクチュエータがワイヤ駆動機構を備える、請求項１７に記載の摺動支持アセンブリ。
【発明の詳細な説明】
【技術分野】
【０００１】
本発明は、摺動支持アセンブリに関する。
【背景技術】
【０００２】
箪笥用に摺動支持部を設けることは知られており、そのような摺動支持部は、通常浅い溝断面の、１つがもう１つの内部を摺動し、部材のうちの１つが箪笥に固定され、もう１つが中に箪笥が支持されるフレーム又はハウジングに固定される、２つ（又はそれより多い）細長い部材を有する。この部材間の摺動係合は通常、２つの細長い部材の間に配置される保持部材によって保持されるボール・ベアリングによって提供される。
【０００３】
上記で概説した１対の摺動部材を有する摺動支持部が物品の各側に配置される、物品、例えば箪笥を支持するための配置では、この摺動支持部は、１つにはそれが小さな横方向スペースしかとらず、且つ１つにはこの摺動支持部がこの向きでの垂直荷重を担持するように設計される理由で、水平に開口する部材の溝と共に配置される。
【０００４】
この型式の摺動支持部が重い物品、例えば重い箪笥又はいくつかの方向からの力に曝される可能性のある物品、例えば自動車肘掛又は中央操作卓について使用される場合は、摺動支持部間の剪断の問題点が生じ、それは１つ又は両方の支持部を動かなくさせる可能性がある。
【発明の概要】
【課題を解決するための手段】
【０００５】
本発明の第１の態様によれば、
ベースと、
ベース上に摺動可能に搭載される予定の、物品を支持するための支持要素と、
支持要素に対するベースの平行摺動移動を与えるように、ベースを支持要素に摺動可能に連結する１対の間隔のあいた摺動部であって、各摺動部が１つがもう１つと摺動可能に係合する１対の細長い部材を備え、各摺動部のうちの１つの細長い部材はベースに対して固定され、各摺動部のうちのもう１つの細長い部材は支持要素に対して固定され、この２つの細長い摺動部材は、ベースから支持要素に向かって延びる方向に分岐する異なる平面内にあるベースに対して固定される摺動部とを備える、摺動支持部アセンブリが提供される。
【０００６】
ベースから支持要素に向かって分岐する平面内にあるように摺動部材を配置することによって、力が支持要素に加えられるときの剪断の問題点は防止される。物品に摺動移動の方向に対して横方向に力が加えられるとき、この角度のついた摺動部はアセンブリが故障するのを防止する。
【０００７】
支持要素に固定される各摺動部の細長い部材が、平面のベースと摺動溝を画成するように平面ベースから延びる側壁とを有するのが好ましく、且つベースに対して固定される各摺動部の細長い部材がそれぞれの摺動溝内で係合するのが好ましい。支持要素に固定される細長い部材によって形成される溝内に、ベースに対して固定される細長い部材を配置することによって、支持されている物品の重量は、摺動部を引っ張り離すように働くのではなくその所望の構造に摺動部を維持する傾向になる。
【０００８】
摺動部がベース及び支持要素とは別個に形成され、各摺動部の細長い摺動部材のうちの１つがベースに取り付けられ、各摺動部のもう１つの細長い摺動部材が支持要素に取り付けられるのが好ましい。したがって、標準の知られた摺動部をこのアセンブリ内に組み込むことができる。別法として、２つの別々に引き抜かれ、成型され又は他の方法で形成される部片がこのアセンブリを形成するのを必要とするように、この細長い部材は、ベースと支持要素と一緒に一体で形成することができる。
【０００９】
このベースがその各側上に少なくとも１つの摺動支持ウイングを有し、この支持ウイングがベースに対して固定される細長い摺動部材の平面に対応する異なる平面内にあることが好ましい。細長い摺動部材の平面はベースの全体平面に対して等しい角度にあるのが好ましい。
【００１０】
好ましい実施例では、このベースは横断面で実質的にＷ字プロファイルのものである。このＷ字プロファイルベースは、細長い中央平面部分を有するのが好ましい。
【００１１】
この摺動支持アセンブリは、ベース及び支持要素を所望の位置にロックするためのロック機構を含むことも好ましい。このロック機構が支持要素上に移動可能に搭載されるロック装置を含むことが好ましい。
【００１２】
ベースが細長い中央平面部分を有する、横断面で実質的にＷ字プロファイルのものであり、摺動支持アセンブリがベース及び支持要素を所望の位置にロックするためのロック機構を備えるとき、このロック機構がベースの細長い中央部分の縁部に沿った一連のノッチと、支持要素上に移動可能に搭載されるロック装置とを備え、このロック装置が、ロック機構がロック位置にあるときノッチと係合可能な突起部を有することが好ましい。
【００１３】
本発明の別の態様によれば、
横断面が実質的にＷ字プロファイルであり、細長い中央平面部分を有するベースと、
ベース上に摺動可能に搭載される支持要素と、
ベース及び支持要素を所望の位置にロックするためのロック機構であって、このロック機構がベースの細長い中央部分の縁部に沿った一連のノッチと、支持要素上に移動可能に搭載されるロック装置とを備え、このロック装置が、ロック機構がロック位置にあるときノッチと係合可能な突起部を有するロック機構とを備える、摺動支持アセンブリが提供される。
【００１４】
ベースの細長い中央部分の縁部をロック機構の一部分として使用することによって、組み立ての許容範囲が改善され、ロック装置は支持要素をベースに対して直接且つしっかりとロックする。
【００１５】
このロック装置が、ウエブ、ウエブの第１の端部から第１の角度で延びる第１の足、ウエブの第２の端部から第１の角度で延びる第２のウエブ、第１の足から第２の角度で延びる第１のフランジ、及び第２の足から第２の角度で延びる第２のフランジとを有する帽子溝プロファイル（ｈａｔ−ｃｈａｎｎｅｌ  ｐｒｏｆｉｌｅ）のフラップを含み、突起部が第１と第２のフランジが第１と第２の足から延びるところに形成される一連のスロットによって形成されるのが好ましい。
【００１６】
このフラップが支持要素上に搭載され、且つ複数の突起部がベース内の複数のノッチ内に係合している状態で、フラップがベースに抗しているロック位置と、突起部がノッチから脱係されている開放位置との間を移動可能であることが好ましい。
【００１７】
このロック装置は支持要素上に枢動可能に搭載することができる。別法として、このロック装置は、ロック装置をロック位置から開放位置まで移動可能にするための曲がった断面を含むことができる。
【００１８】
この摺動支持アセンブリは、ロック装置を支持要素に対して移動させるための機構をさらに備えるのが好ましい。
【００１９】
ロック装置を移動させるためのこの機構は、ロック装置をロック位置から開放位置まで移動させるための適切な手段を備えることができる。この機構は、支持要素に連結される第１の端部とロック装置に連結される第２の端部とを有するレバーと、このレバーに連結されるアクチュエータとを備えることができる。このアクチュエータは、摺動支持アセンブリ上に、摺動支持アセンブリによって支持される物品上に配置する、或いはアセンブリから離して搭載することができる。このアクチュエータは、手動又はモータ駆動であることができる。好ましい実施例ではこのアクチュエータは、ワイヤ駆動機構、例えばＢｏｗｄｅｎ（商標）ケーブルを備える。
【００２０】
ロック機構が支持要素をベースから開放するように作動させられた後、支持されている物品はベースに対して移動させることができる。物品の移動は物品に手で力を加えることによって行うことができる。別法として、ベースに対する物品の移動はモータ駆動することができる。
【００２１】
次に一例として、本発明による摺動支持部アセンブリの一実施例を添付の図面を参照して説明する。
【図面の簡単な説明】
【００２２】
【図１】本発明による摺動支持部アセンブリの断面図である。
【図２】第１の位置にある図１の摺動支持部アセンブリの側面図である。
【図３】第２の位置にある図１の摺動支持部アセンブリの側面図である。
【図４】第３の位置にある図１の摺動支持部アセンブリの側面図である。
【図５】第４の位置にある図１の摺動支持部アセンブリの側面図である。
【図６】図１の摺動支持部アセンブリの斜視図である。
【発明を実施するための形態】
【００２３】
図１は、全体的に１０で示される摺動支持部アセンブリの一実施例の断面図を示す。
【００２４】
この摺動支持部１０は、ベース２０、ベース２０上に摺動可能に搭載される予定の物品１００を支持するための支持要素３０、及び支持要素３０に対するベース２０の平行摺動移動を可能にするための、ベース２０を支持要素３０に摺動可能に連結する１対の間隔のあいた摺動部４０とを有する。
【００２５】
支持要素３０は、この例では１００で概略的に示され、適切な手段（図示せず）によって支持要素３０に固定される自動車中央操作卓を支持する。しかしながら、この摺動支持アセンブリ１０は、直線的に移動可能に搭載する必要がある任意の要素又は物体を摺動可能に支持することができる。
【００２６】
各摺動部４０は、１つがもう１つと摺動可能に係合する１対の細長い部材４２、４４を備え、各摺動部４０の１つの細長い部材４２はベース２０に対して固定され、各摺動部４０のもう１つの細長い部材４４は支持要素３０に対して固定される。この２つの細長い摺動部材４２、４４は、ベース２０から支持要素３０に向かって延びる方向に分岐する異なる平面内にあるベース２０に対して固定される。
【００２７】
支持要素３０に固定される各摺動部の細長い部材４４は、平坦なベースと摺動溝を画成するようにこの平坦なベースから延びる側壁を有し、ベース２０に対して固定される各摺動部の細長い部材４２も、平坦なベース及びこの平坦なベースから延びる側壁を有する。細長い部材４２は、それぞれの摺動溝内で摺動的に係合する。細長い部材４２及び４４の側壁は、中をボール・ベアリング４６が走る曲線のボール係合プロファイルをそれぞれ含む。この細長い部材４２及び４４は、軟鋼（またの適切な材料）から作ることができる。
【００２８】
細長い部材４４は摺動部の外側部材を備え、細長い部材４２は摺動部の内側部材を備える。内側部材としてベース２０に固定される細長い部材４２及び外側部材として支持要素３０に固定される細長い部材４４を有することによって、支持されている物品１００の重量は、摺動部を引っ張り離すように働くのではなくその所望の構造に摺動部を維持する傾向になる。
【００２９】
摺動部４０は、ベース２０及び支持要素３０から別々に形成される。したがって、標準の摺動部がアセンブリに組み込まれる。
【００３０】
ベース２０は、細長い中央部分２２を有する実質的にＷ字プロファイルのものである。支持要素３０も、細長い中央部分を有する実質的にＷ字プロファイルのものである。したがって、ベースはその各側に摺動支持ウイング２５を含み、この支持ウイングはベース２０に対して固定される細長い摺動部材４２の平面に対応する異なる平面内にある。細長い摺動部材４２の平面は、ベースの全体的な平面に対して等しい角度にある。細長い中央部分２２は、ベース２０の全体的な平面内にある。
【００３１】
ベース２０は、図１に示す構造で物品１００に上向きの力が加えられる場合、摺動部４０が剥ぎ離されるのを防止するラップアラウンド（ｗｒａｐａｒｏｕｎｄ）形体２６も各々の摺動支持ウイング２５の端部のところに含む。
【００３２】
この摺動支持アセンブリは、ベース２０及び支持要素３０を所望の位置にロックするためのロック機構も含む。このロック機構は、支持要素３０上に移動可能に搭載されるロック装置５０を含む。
【００３３】
このロック機構は、ベース２０の細長い中央部分２２の縁部に沿った一連のノッチ２４、及びロック機構がロック位置にあるときノッチ２４と係合可能な、ロック装置５０の縁部に沿った一連の突起部５２とを備える。
【００３４】
このロック装置５０は、ウエブ５４、ウエブ５４の第１の端部から第１の角度で延びる第１の足５６、ウエブ５４の第２の端部から第１の角度で延びる第２のウエブ５７、第１の足５６から第２の角度で延びる第１のフランジ５８、及び第２の足５７から第２の角度で延びる第２のフランジ５９とを有する帽子状溝（ｈａｔ−ｃｈａｎｎｅｌ）プロファイルのフラップを備え、突起部５２は、第１と第２のフランジ５８、５９が第１と第２の足５６、５７から延びるところに形成される一連のスロットによって形成される。
【００３５】
このフラップは支持要素３０上に搭載され、且つ複数の突起部５２がベース２０内の複数のノッチ２４内に係合して状態で、フラップがベース２０に抗しているロック位置と、突起部５２がノッチ２４から脱係される開放位置との間を移動可能である。
【００３６】
ロック装置５０は、支持要素３０上に枢動点３４のところで枢動可能に搭載される。
【００３７】
この摺動支持アセンブリは、支持要素３０に対してロック装置５０を移動させるための機構も備える。ロック装置５０を移動させるための機構は、Ｂｏｗｄｅｎ（商標）ケーブルなどのワイヤ駆動機構７０によって作動される際、ロック装置５０をロック位置から開放位置に移動させるためのレバー機構６０を備える。レバー６０の第１の端部は支持要素３０に連結され、レバー６０の第２の端部はロック装置５０に連結される。ワイヤ駆動機構７０はレバー６０に連結される。
【００３８】
ロック機構が支持要素をベースから開放するように作動させられた後、支持されている物品はベースに対して移動させることができる。物品の移動は物品に手で力を加えることによって行うことができる。別法として、ベースに対する物品の移動はモータ駆動することができる。
【００３９】
図２から５は、支持要素３０及びベース２０の相対的な移動を可能にするために、どのようにロック装置５０がベース２０から係脱させることができるか、且つベース２０に対して支持要素３０をロックするために、どのようにロック装置５０をベース２０と係合させることができるかを示す。
【００４０】
図２で、支持要素３０に取り付けられた物品１００は、第１の位置にある。ロック装置５０の突起５２はベース２０内のノッチ２４と係合している。
【００４１】
図２の矢印によって示すようなワイヤ駆動機構７０の作動は、レバー６０をロック装置５０とのその連結部の周りに回転させ、それが図３に示すようにロック装置５０を枢動点３４の周りに回転させる。結果として次にロック装置は、突起５２がノッチ２４と係合していない開放位置に位置決めされる。
【００４２】
次いで力を物品１００に加え、その結果図３に示すように支持要素３０をベース２０に対して摺動させることができる。
【００４３】
物品１００がその所望の位置内に摺動させられた後、ワイヤ駆動機構７０は開放することができ、その結果レバー６０は、ロック装置５０とのその連結部の周りに回転できるように、且つロック装置は、図５に示すようにその枢動点３４の周りに回転できるようになる。物品１００がその第２の位置にある状態で、次に突起５２は異なる複数のノッチ３４と係合し、その結果支持要素３０及び物品１００をベース２０に対してロックする。
【００４４】
図６に示す斜視図から分かるように、支持要素は、細長い摺動部材４４に取り付けられ、且つ物品１００に対するさらなる支持を与える追加のＷ字プロファイル部分３６も含む。
【００４５】
この実施例及びそれに対する改変形態は例示としてのみであり、変形形態及び改変形態を添付の特許請求の範囲に定義される本発明の範囲内で作ることができることは理解されるであろう。
【図１】
2010501800.tif 000003
【図２】
2010501800.tif 000004
【図３】
2010501800.tif 000005
【図４】
2010501800.tif 000006
【図５】
2010501800.tif 000007
【図６】
2010501800.tif 000008
【国際調査報告】
2010501800.tif 000009
2010501800.tif 000010
2010501800.tif 000011
2010501800.tif 000012